(57)【要約】      （修正有）【課題】使用者のストレッチを補助することができ、快適性及び利便性にも優れた多機能枕を提供する。【解決手段】枕部２と、該枕部２から背中方向に取付けられるシート材３と、前記シート材３に配されて上方へ膨張するエアバッグ４ａと、該エアバッグ４ａに空気を給排出するエアポンプ４ｂと、該エアポンプ４ｂから前記エアバッグ４ａに連結されるエア流通路４ｃとを備え、前記枕部２を上層枕部２ａと該上層枕部２ａに比して厚手の下層枕部２ｂとの二層構造とし、該上層枕部２ａを下層枕部２ｂの表面に沿って着脱可能に取付け、該下層枕部２ｂの内部にはアルミ製の中空管チップを充填してなる。【選択図】図１
0003206144.tif 000002
【実用新案登録請求の範囲】
【請求項１】
臥位の使用者の頭部を載置する枕部と該枕部から背中方向に延設したシート材とを備えた多機能枕であって、
前記シート材に配設し、該シート材の上方へ膨張して使用者の肩甲骨近傍を押し上げるエアバッグと、該エアバッグに空気を給排出するエアポンプと、該エアポンプから前記エアバッグに連結したエア流通路とからなるストレッチ補助部を備えるとともに、前記枕部を上層枕部と該上層枕部に比して厚手の下層枕部との二層構造とし、該上層枕部を下層枕部の表面に沿って着脱可能に取付け、該下層枕部の内部にはアルミ製の中空管チップを充填してなることを特徴とする多機能枕。
【請求項２】
臥位の使用者の頭部を載置する枕部と該枕部から背中方向に延設したシート材とを備えた多機能枕であって、
前記シート材に配設し、該シート材の上方へ膨張して使用者の肩甲骨近傍を押し上げるエアバッグと、該エアバッグに空気を給排出するエアポンプと、該エアポンプから前記エアバッグに連結したエア流通路とからなるストレッチ補助部を備えてなることを特徴とする多機能枕。
【請求項３】
臥位の使用者の頭部を載置する枕部と該枕部から背中方向に延設したシート材とを備えた多機能枕であって、
前記枕部を上層枕部と該上層枕部に比して厚手の下層枕部との二層構造とし、該上層枕部を下層枕部の表面に沿って着脱可能に取付けてなることを特徴とする多機能枕。
【請求項４】
臥位の使用者の頭部を載置する枕部と該枕部から背中方向に延設したシート材とを備えた多機能枕であって、
前記枕部の内部にはアルミ製の中空管チップを充填してなることを特徴とする多機能枕。
【考案の詳細な説明】
【技術分野】
【０００１】
本考案は、使用者にとって快適性及び利便性を備えた多機能枕に関する。
【背景技術】
【０００２】
従来、膨縮可能にエアバッグを備えた枕として、枕部内に中央部に収納されたエアバッグを膨張させるように制御し、通常睡眠時には楽な姿勢で安眠可能としながらも、該エアバッグの膨張によりいびきを防止できるようにしたいびき防止用枕が開示されている（特許文献１）。
【先行技術文献】
【特許文献】
【０００３】
【特許文献１】特開２００６−２４７１１５号公報
【考案の概要】
【考案が解決しようとする課題】
【０００４】
しかしながら、前記特許文献１に記載の技術では、内蔵するエアバッグの膨張により、いびきを防止することができるものの、ストレッチ効果を得ることができなかった。また、いびきを防止するのみで、快適性や利便性を兼ね備えていないという問題があった。
【０００５】
そこで、本考案は、使用者のストレッチを補助することができ、快適性及び利便性にも優れた多機能枕を提供することを課題とする。
【課題を解決するための手段】
【０００６】
上記課題を解決するために、本考案は次のように構成した。すなわち、本考案に係る請求項１に記載の多機能枕は、臥位の使用者の頭部を載置する枕部と該枕部から背中方向に延設したシート材とを備えた多機能枕であって、前記シート材に配設し、該シート材の上方へ膨張して使用者の肩甲骨近傍を押し上げるエアバッグと、該エアバッグに空気を給排出するエアポンプと、該エアポンプから前記エアバッグに連結したエア流通路とからなるストレッチ補助部を備えるとともに、前記枕部を上層枕部と該上層枕部に比して厚手の下層枕部との二層構造とし、該上層枕部を下層枕部の表面に沿って着脱可能に取付け、該下層枕部の内部にはアルミ製の中空管チップを充填してなることを特徴としている。
【０００７】
また、請求項２に記載の多機能枕は、臥位の使用者の頭部を載置する枕部と該枕部から背中方向に延設したシート材とを備えた多機能枕であって、前記シート材に配設し、該シート材の上方へ膨張して使用者の肩甲骨近傍を押し上げるエアバッグと、該エアバッグに空気を給排出するエアポンプと、該エアポンプから前記エアバッグに連結したエア流通路とからなるストレッチ補助部を備えてなることを特徴としている。
【０００８】
また、請求項３に記載の多機能枕は、臥位の使用者の頭部を載置する枕部と該枕部から背中方向に延設したシート材とを備えた多機能枕であって、前記枕部を上層枕部と該上層枕部に比して厚手の下層枕部との二層構造とし、該上層枕部を下層枕部の表面に沿って着脱可能に取付けてなることを特徴としている。
【０００９】
さらに、請求項４に記載の多機能枕は、臥位の使用者の頭部を載置する枕部と該枕部から背中方向に延設したシート材とを備えた多機能枕であって、前記枕部の内部にはアルミ製の中空管チップを充填してなることを特徴としている。
【考案の効果】
【００１０】
本考案に係る請求項１に記載の多機能枕によれば、臥位の使用者に対し、前記エアバッグが臥位の使用者の肩甲骨近傍を押し上げることにより、使用者の上半身に対してストレッチ効果を得ることができる。そして、該ストレッチによる使用者の発熱又は発汗に対し、また、通常の睡眠時においても、前記枕部を二層構造に形成したことにより、汚れやすい枕部の上層枕部を容易に洗濯可能にして利便性を得ることができるとともに、下層枕部の内部に熱伝導に優れるアルミ製の中空管チップを充填したことにより、熱こもり防止して該多機能枕使用時の快適性を向上させることができる。
【００１１】
また、請求項２に記載の多機能枕によれば、臥位の使用者の頭部を載置するという枕本来の機能とともに、前記エアバッグが臥位の使用者の肩甲骨近傍を押し上げることにより、使用者の上半身に対してストレッチ効果を得ることができる。
【００１２】
また、請求項３に記載の多機能枕によれば、前記請求項１に記載のストレッチ補助部を設けない通常の枕部においても、臥位の使用者の頭部を載置するという枕本来の機能とともに、前記枕部を二層構造に形成したことにより、汚れやすい枕部の上層枕部を容易に洗濯可能にして利便性を得ることができる。
【００１３】
さらに、請求項４に記載の多機能枕によれば、前記請求項１に記載のストレッチ補助部を設けない通常の枕部においても、臥位の使用者の頭部を載置するという枕本来の機能とともに、熱伝導に優れるアルミ製の中空管チップを充填したことにより、熱帯夜等の時期に熱こもり防止して該多機能枕使用時の快適性を向上させることができる。
【図面の簡単な説明】
【００１４】
【図１】本考案に係る多機能枕を示す斜視図である。
【図２】多機能枕を示す正面図である。
【図３】上層枕部を取り外した状態の多機能枕を示す斜視図である。
【図４】下層枕部の開口部を示す図である。
【図５】多機能枕の使用状態を示す図である。
【考案を実施するための形態】
【００１５】
以下、図面に基づいて本考案を具体的に説明する。まず、図１は、本考案に係る多機能枕１を示す斜視図である。該多機能枕１は、臥位の使用者の頭部を載置する枕部２と、該枕部２の使用者身体側の下面側端から使用者の身体方向に延設されたシート材３と、該シート材３の先端側に配されたエアバッグ４ａ、該エアバッグ４ａに空気を給排出するエアポンプ４ｂ及び該エアポンプ４ｂ及びエアバッグ４ａを連結するエア流通路４ｃからなるストレッチ補助部４とから構成されている。
【００１６】
前記枕部２は、臥位の使用者の頭部を載置するものであって、上層枕部２ａと下層枕部２ｂの二層構造に形成されている。該上層枕部２ａは、下層枕部２ｂよりも比較的薄手であって、袋状の内側に綿、樹脂綿又はウレタン等のクッション素材を充填して形成されている。また、下層枕部２ｂは、袋状の内側に金属製チップ、木製チップ、合成樹脂製チップ又はそば殻等の枕素材を充填して形成さられている。この上層枕部２ａ及び下層枕部２ｂは、上層枕部の下面外周及び下層枕部２ｂの上面外周に設けたファスナーＦによって着脱可能に形成されている。この上層枕部２ａを着脱するための着脱手段は、ファスナーＦに限られるものではなく、面ファスナー等で着脱自在に取付けることができればどのような構成であってもよい。なお、下層枕部２ｂの具体的な構成については、以下に、図３及び図４を用いて説明する。
【００１７】
前記シート材３は、布材や合成樹脂製等からなるシート状の素材で、かつ、エアバッグ４ａが収納可能な袋状に形成されており、使用者の背中方向で袋状の内側にエアバッグ４ａが配されている。該エアバッグ４は、枕部２の側面に配設されたエアポンプ４ｂから枕部２の内部を通るチューブ管からなるエア流通路４ｃを介して空気の供給をうけ、該シート材３の上方へと膨張することにより、臥位の使用者の肩甲骨近傍を押し上げる。なお、特に図示はしないが、エアポンプ４ｃには、動作のＯＮ／ＯＦＦを切り替える操作ボタン等が取り付けられている。また、該エアポンプ４ｃは、家庭用コンセント等から電源コードを介して電源供給を受けて動作する。
【００１８】
該エアバッグ４ａは、図２の正面図に示すように、蛇腹状二段で形成されており、エアポンプ４ｂから下段のエアバッグ４ａへの空気の供給により、下段のエアバッグ４ａから上段のエアバッグ４ａの順で上方へと膨張する。一方、該膨張したエアバッグ４ａは、空気を排出することにより下方へと収縮する。このように膨張したエアバッグ４ａは、臥位の使用者の肩甲骨近傍を押し上げることにより、使用者が臥位の状態のまま上半身をストレッチするのを補助することができる。
【００１９】
図３は、前記下層枕部２ｂから着脱可能の上層枕部２ａを取り外した状態を示す図である。下層枕部２ｂは、その表面に７つの開口部５が設けられており、下層枕部２ｂの内部には、各開口部５から金属製チップ、木製チップ、合成樹脂製チップ又はそば殻等の枕素材を充填するための小袋（図示せず。）が夫々収納されている。本実施例において、各小袋には、図４に示すように、多数のアルミ製の中空管チップ６が充填されており、熱伝導に優れたアルミ製の中空管チップ６を充填することにより、該多機能枕１の使用時において、枕部２内の熱こもりを防止し、快適にストレッチを行うことができ、また、快適な睡眠をとることができる。なお、各開口部５は、特に図示しないが、ファスナーＦ等の開閉手段により開閉自在に形成されている。
【００２０】
また、このように下層枕部２ｂの内部に複数の小袋を設けて小袋毎に前記枕素材を充填することにより、ある所定の小袋だけ枕素材の充填数を少なくすることで枕部２の高さをその所定の箇所だけ下げたり等、多機能枕１を使用する使用者の嗜好に応じて、枕部２の表面形状を変更することができる。例えば、本実施例の７つの開口部５のうち、中央の開口部５、すなわち、図４において中空管チップ６を充填する様子を示す開口部５に対応する小袋だけ前記枕素材の充填数を少なくして枕部表面の中央部の高さを下げることにより、臥位の使用者の後頭部を該中央部に収めることができ、使用者の嗜好によっては快適な睡眠をとることができる。
【００２１】
図５は、多機能枕１を側面から視た使用状態を示す図である。まず、使用者は、枕部２の表面に後頭部を載置するとともに、シート材３のうちエアバッグ４ａが配された表面を使用者の肩甲骨近傍に当接するようにして臥位の状態となる。そして、使用者がエアポンプ４ｂをＯＮにして動作させると、エアバッグ４ａに空気が供給されて膨張し、使用者の肩甲骨近傍を上方へと押し上げることにより、使用者の上半身のストレッチを補助することができる。
【００２２】
このように、本発明の多機能枕１によれば、使用者が臥位の状態で上半身のストレッチを行うのを補助することができ、また、ストレッチによる身体の発熱又は発汗に対して、前記上層枕部４ａを下層枕部４ｂから取り外して容易に洗濯できるようにして利便性を向上させ、また、下層枕部４ｂに充填した多数のアルミ製の中空管チップにより、枕部２の熱こもりを防止することで、使用者は快適にストレッチをすることができ、また、快適な睡眠をとることができる。
【００２３】
前記実施例では、多機能枕１は、シート材３のエアバッグ４ａを備えるストレッチ補助部４と、上層枕部２ａ及び下層枕部２ｂからなる枕部２と、下層枕部２ｂ表面の複数の開口部５と、アルミ製の中空管チップ６との各構成要素を備えているが、夫々の要素のみを設けたり、または、各構成要素を組み合わせたりした多機能枕１としてもよい。
【００２４】
例えば、前記構成要素のうち、シート材３のエアバッグ４ａを備えるストレッチ補助部４のみを設けた多機能枕１であれば、臥位の使用者の頭部を載置するという枕本来の機能とともに、使用者の肩甲骨近傍の押し上げによるストレッチにより、ストレッチ効果による快適性を得ることができる。また、枕部２を上層枕部２ａ及び下層枕部２ｂの二層構造に構成するのみの多機能枕１であれば、臥位の使用者の頭部を載置するという枕本来の機能とともに、汚れやすい上層枕部２ａのみを取り外して洗濯することができるという利便性を得ることができる。また、枕部２の表面に複数の開口部５を設けたのみの多機能枕１であれば、臥位の使用者の頭部を載置するという枕本来の機能とともに、多機能枕１の表面形状を使用者の嗜好に応じて変更できるという快適性及び利便性を得ることができる。さらに、アルミ製の中空管チップ６を枕部２の内部に充填したのみの多機能枕１であれば、熱伝導率に優れたアルミ製による熱こもりの防止という快適性を得ることができる。一方で、これら各構成要素を組み合わせることにより、快適性及び利便性に優れた多機能枕１とすることも可能である。
【産業上の利用可能性】
【００２５】
本発明に係る多機能枕１では、前記複数の開口部５に充填する前記枕素材の量を調整することで、使用者が快適にストレッチを行うことができる。例えば、中央の開口部５への枕素材の充填量を他よりも少なくし、枕部２の表面のうち中央を陥没させることにより、臥位の使用者の後頭部が枕部２の中央に嵌まり込んである程度固定されるため、前記エアバッグ４ａの膨張により使用者の肩甲骨近傍が上方へ押し上げられた場合でも、使用者の身体全体がストレッチ中前後にぶれることなく、快適にストレッチを行うことができる。
【符号の説明】
【００２６】
１    マッサージ枕
２    枕部
２ａ  上層枕部
２ｂ  下層枕部
３    シート材
４    ストレッチ補助部
４ａ  エアバッグ
４ｂ  エアポンプ
４ｃ  エア流通路
５    開口部
６    中空管チップ
Ｆ    ファスナー
【図１】
0003206144.tif 000003
【図２】
0003206144.tif 000004
【図３】
0003206144.tif 000005
【図４】
0003206144.tif 000006
【図５】
0003206144.tif 000007